(57)【要約】【課題】装置本体の幅方向の薄型化を図りつつケーブルの引っ掛かりやコネクタ抜け等を防止できる装置を提供する。【解決手段】装置１０１は、前側と後ろ側とその間に配置された側面とを備えた装置本体を有し、側面には第１の傾斜面及び第２の傾斜面を含む複数の傾斜面が形成され、複数の傾斜面の各々は第１の端部と第２の端部を含み、複数の傾斜面の各々における第１の端部は第２の端部よりも後ろ側の近くに位置し、幅方向において複数の傾斜面の各々における第１の端部は第２の端部よりも光軸の近くに位置し、複数の傾斜面は幅方向から見た場合に互いに重ならない位置に配置されると共に、光軸方向から見た場合に少なくとも一部が互いに重なる位置に配置され、第１の傾斜面には複数の外部接続端子が設けられ、第２の傾斜面には第１の傾斜面のすべての外部接続端子から幅方向及び光軸と直交する高さ方向にずれた１つの外部接続端子が設けられている。【選択図】図２
2020048219.tif 000002
【特許請求の範囲】
【請求項１】
レンズ部を装着可能な前側と、光軸方向から見た場合に前記前側と反対側に位置する後ろ側と、前記光軸と直交する装置本体の幅方向から見た場合に前記前側と前記後ろ側との間に配置された側面とを備えた装置本体を有し、
前記側面には第１の傾斜面および第２の傾斜面を含む複数の傾斜面が形成され、
前記複数の傾斜面の各々は第１の端部と第２の端部とを含み、前記複数の傾斜面の各々における前記第１の端部は前記第２の端部よりも前記後ろ側の近くに位置し、
前記幅方向において前記複数の傾斜面の各々における前記第１の端部は前記第２の端部よりも前記光軸の近くに位置し、
前記複数の傾斜面は前記幅方向から見た場合に互いに重ならない位置に配置されるとともに、前記光軸方向から見た場合に少なくとも一部が互いに重なる位置に配置され、
前記第１の傾斜面には複数の外部接続端子が設けられ、前記第２の傾斜面には前記第１の傾斜面のすべての外部接続端子から前記幅方向および前記光軸と直交する高さ方向にずれた１つの外部接続端子が設けられていることを特徴とする装置。
【請求項２】
前記第２の傾斜面には外部接続端子が１つのみ設けられていることを特徴とする請求項１に記載の装置。
【請求項３】
前記光軸に対する前記複数の傾斜面の傾斜角は同一であることを特徴とする請求項１または２に記載の装置。
【請求項４】
前記複数の傾斜面の１つにおける前記第１の端部と前記複数の傾斜面の他の１つにおける前記第２の端部が接続面により接続され、前記接続面は前記複数の傾斜面の１つと他の１つの各々に対して９０°の角度をなすように設けられ、
前記接続面の長さは外部接続端子に接続されるケーブルの先端部に形成された硬質部の長さと同一かそれ以上であることを特徴とする請求項１乃至３のいずれか１項に記載の装置。
【請求項５】
前記複数の傾斜面の１つには前記装置本体の最外形部から突出しない外部接続端子が設けられていることを特徴とする請求項１乃至４のいずれか１項に記載の装置。
【請求項６】
前記第１の傾斜面に設けられた前記複数の外部接続端子は隣接する２つの外部接続端子を含み、
前記第１の傾斜面に設けられた前記隣接する２つの外部接続端子の１つは前記第２の傾斜面に設けられた前記１つの外部接続端子よりも前記高さ方向における上側に設けられ、
前記第１の傾斜面に設けられた前記隣接する２つの外部接続端子のもう１つは前記第２の傾斜面に設けられた前記１つの外部接続端子よりも前記高さ方向における下側に設けられていることを特徴とする請求項１乃至５のいずれか１項に記載の装置。
【請求項７】
前記レンズ部は前記装置本体の前記前側に着脱可能に取り付けられることを特徴とする請求項１乃至６のいずれか１項に記載の装置。
【請求項８】
前記装置は、デジタルビデオカメラであることを特徴とする請求項１乃至７のいずれか１項に記載の装置。
【請求項９】
レンズ部を装着可能な前側と、光軸方向から見た場合に前記前側と反対側に位置する後ろ側と、前記光軸と直交する装置本体の幅方向から見た場合に前記前側と前記後ろ側との間に配置された側面とを備えた装置本体を有し、
前記側面には第１の傾斜面および第２の傾斜面を含む複数の傾斜面が形成され、
前記複数の傾斜面の各々は第１の端部と第２の端部とを含み、前記複数の傾斜面の各々における前記第１の端部は前記第２の端部よりも前記後ろ側の近くに位置し、
前記幅方向において前記複数の傾斜面の各々における前記第１の端部は前記第２の端部よりも前記光軸の近くに位置し、
前記複数の傾斜面は前記幅方向から見た場合に互いに重ならない位置に配置されるとともに、前記光軸方向から見た場合に少なくとも一部が互いに重なる位置に配置され、
前記装置本体の高さ方向が前記幅方向および前記光軸と直交する方向である場合に、前記第１の傾斜面には隣接する２つの外部接続端子が設けられ、前記隣接する２つの外部接続端子の１つは前記第２の傾斜面に設けられる１つの外部接続端子に対して前記高さ方向において上方に偏心し、前記隣接する２つの外部接続端子のもう１つは前記第２の傾斜面に設けられる前記１つの外部接続端子に対して前記高さ方向において下方に偏心していることを特徴とする撮像装置。
【請求項１０】
前記第２の傾斜面には外部接続端子が１つのみ設けられていることを特徴とする請求項９に記載の撮像装置。
【請求項１１】
前記レンズ部は前記装置本体の前記前側に着脱可能に取り付けられることを特徴とする請求項９または１０に記載の撮像装置。
【請求項１２】
前記撮像装置は、デジタルビデオカメラであることを特徴とする請求項９乃至１１のいずれか１項に記載の撮像装置。
【請求項１３】
光軸に対して各々が傾斜し、第１の平面および複数の平面に対して前記第１の平面と隣接する第２の平面を含む複数の平面を側面に有する本体を備え、
前記第１の平面には第１の外部接続端子および第２の外部接続端子が隣接して配置され、前記第１の外部接続端子は前記側面の高さ方向において前記第２の外部接続端子よりも高い位置にあり、
前記第２の平面には前記第１および第２の外部接続端子に対して前記側面の高さ方向にずらして設けられた１つの外部接続端子が配置され、前記第２の平面に配置される前記１つの外部接続端子は前記側面の高さ方向において前記第１の外部接続端子よりも高い位置になく、前記第２外部接続端子よりも低い位置にないことを特徴とするビデオカメラ。
【請求項１４】
前記第２の平面には１つの外部接続端子のみが配置されることを特徴とする請求項１３に記載のビデオカメラ。
【請求項１５】
前記第１の平面には前記第１および第２の外部接続端子のみが配置されることを特徴とする請求項１３または１４に記載のビデオカメラ。
【請求項１６】
前記ビデオカメラはデジタルビデオカメラであることを特徴とする請求項１３乃至１５のいずれか１項に記載のビデオカメラ。
【発明の詳細な説明】
【技術分野】
【０００１】
本発明は、例えば業務用のデジタルビデオカメラ等の装置、撮像装置及びビデオカメラに関し、特に複数の外部接続端子を有する装置、撮像装置及びビデオカメラに関する。
【背景技術】
【０００２】
業務用のデジタルビデオカメラ等では、ケーブルが接続された状態でカメラ本体を肩に担いだ状態で移動しながら撮影するため、ケーブルが接続されるコネクタが破損することがないように、コネクタをカメラ本体の背面側に配置しているものが多い。
【０００３】
しかし、近年の業務用デジタルビデオカメラでは、多機能化が進み、カメラ本体に高速通信を行うためのコネクタやＩＰ通信を行うためのコネクタ等が設けられ、コネクタの数が増加している。このため、全てのコネクタをカメラ本体の背面側に配置することができず、コネクタをカメラ本体の側面に配置したものがある（特許文献１）。
【先行技術文献】
【特許文献】
【０００４】
【特許文献１】特開２００７−５３４２６号公報
【発明の概要】
【発明が解決しようとする課題】
【０００５】
しかし、カメラのさらなる多機能化によりコネクタの数がさらに増加した場合、カメラ本体の側面にコネクタを配置すると、カメラ本体を肩に担いだ状態で移動する際に、ケーブルの引っ掛かりによるコネクタの抜けなどが発生しやすい。
【０００６】
一方、カメラ本体の背面部にすべてのコネクタを配置すると、カメラ本体の幅方向のさらなる大型化を招き、肩載せ式の業務用デジタルビデオカメラとしては不向きな形状になってしまう。
【０００７】
そこで本発明は、撮像装置等の装置本体の幅方向の薄型化を図りつつ、複数の外部接続端子を装置本体の幅方向側面に配置した場合でも、外部接続端子に対するケーブルの挿抜性を低下させることなく、ケーブルの引っ掛かりやコネクタ抜け等を防ぐ技術を提供する。
【課題を解決するための手段】
【０００８】
上記目的を達成するために、請求項１記載の装置は、レンズ部を装着可能な前側と、光軸方向から見た場合に前記前側と反対側に位置する後ろ側と、前記光軸と直交する装置本体の幅方向から見た場合に前記前側と前記後ろ側との間に配置された側面とを備えた装置本体を有し、前記側面には第１の傾斜面および第２の傾斜面を含む複数の傾斜面が形成され、前記複数の傾斜面の各々は第１の端部と第２の端部とを含み、前記複数の傾斜面の各々における前記第１の端部は前記第２の端部よりも前記後ろ側の近くに位置し、前記幅方向において前記複数の傾斜面の各々における前記第１の端部は前記第２の端部よりも前記光軸の近くに位置し、前記複数の傾斜面は前記幅方向から見た場合に互いに重ならない位置に配置されるとともに、前記光軸方向から見た場合に少なくとも一部が互いに重なる位置に配置され、前記第１の傾斜面には複数の外部接続端子が設けられ、前記第２の傾斜面には前記第１の傾斜面のすべての外部接続端子から前記幅方向および前記光軸と直交する高さ方向にずれた１つの外部接続端子が設けられていることを特徴とする。
【発明の効果】
【０００９】
本発明によれば、撮像装置等の装置本体の幅方向の薄型化を図りつつ、複数の外部接続端子を装置本体の幅方向側面に配置した場合でも、外部接続端子に対するケーブルの挿抜性を低下させることなく、ケーブルの引っ掛かりやコネクタ抜け等を防ぐことができる。
【図面の簡単な説明】
【００１０】
【図１】本発明の撮像装置の実施形態の一例である業務用デジタルビデオカメラを正面側から見た斜視図である。
【図２】図１に示す業務用デジタルビデオカメラを背面側から見た斜視図である。
【図３】図１に示す業務用デジタルビデオカメラの複数のコネクタに蓋やカバーを装着した状態を示す斜視図である。
【図４】図２に示す業務用デジタルビデオカメラの複数のコネクタに蓋やカバーを装着した状態を示す斜視図である。
【図５】図１に示す業務用デジタルビデオカメラの複数のコネクタにそれぞれケーブル等を接続した状態を示す斜視図である。
【図６】図２に示す業務用デジタルビデオカメラの複数のコネクタにそれぞれケーブル等を接続した状態を示す斜視図である。
【図７】カメラ本体の正面側から見て左側の側面図である。
【図８】図７のＡ−Ａ線断面図である。
【図９】カメラ本体の正面側から見て左側の側面に配置された各コネクタにケーブルを接続した状態を示す図である。
【図１０】図９のＢ−Ｂ線断面図である。
【発明を実施するための形態】
【００１１】
以下、図面を参照して、本発明の実施形態の一例を説明する。
【００１２】
図１は、本発明の撮像装置の実施形態の一例である肩乗式の業務用デジタルビデオカメラを正面側から見た斜視図である。図２は、図１に示す業務用デジタルビデオカメラを背面側から見た斜視図である。
【００１３】
図１及び図２に示すように、本実施形態の業務用デジタルビデオカメラ１００（以下、単にカメラ１００という。）は、装置本体の一例としてのカメラ本体１０１の正面側に、交換式のレンズ部１０２が着脱可能に設けられている。また、カメラ本体１０１の背面部には、電源を供給するためのバッテリユニット１０３が着脱可能に設けられている。カメラ本体１０１を正面側から見てレンズ部１０２の光軸と直交する幅方向の左側の側面には、複数のコネクタが設けられている。
【００１４】
具体的には、Ｄタップコネクタ１０４、ワイヤレス通信コネクタ１０５、マイク入力コネクタ１０６、レンズコネクタ１０７、カードコネクタ１０８、ＵＳＢコネクタ１０９及びＨＤＭＩ（登録商標）ケーブルコネクタ２０２が設けられている。
【００１５】
同様に、外付けモニタ接続コネクタ２０１、有線ＬＡＮケーブルコネクタ２０３、撮影情報出力コネクタ２０４，２０５、モニタ２０６，２０７及びリターン信号コネクタ２０８が設けられている。同様に、ＳＤＩコネクタ２０９〜２１２、リモコン端子２１３、ランクコネクタ２１４及びオーディオ出力ステレオコネクタ２１５が設けられている。
【００１６】
また、カメラ本体１０１の背面部の下部には、オーディオ出力モノラルコネクタ２１６，２１７及び電源コネクタ２１８がバッテリユニット１０３の下側に位置して設けられている。本実施形態のカメラ１００は、複数の外部接続端子である各コネクタにケーブルが接続された状態でカメラ本体１０１を肩に担いだ状態で移動しながら撮影する。
【００１７】
図１に示すように、Ｄタップコネクタ１０４は、外付けビデオライトや外付けモニタに電源を供給することが可能な電源コネクタである。ワイヤレス通信コネクタ１０５は、撮影データを無線通信により転送可能なワイヤレス通信ユニット５０２（図５参照）を接続するコネクタである。
【００１８】
マイク入力コネクタ１０６は、ＸＬＲコネクタであり、外付けマイクを接続した際に、外付けマイクに入力された信号をカメラ本体１０１の不図示のメイン基板に送り、所定の信号処理を施すことにより、音声を記録することができる。
【００１９】
レンズコネクタ１０７は、レンズ部１０２のケーブルを接続することにより、レンズ部１０２からの信号をカメラ本体１０１に送信するためのコネクタである。カードコネクタ１０８は、蓋の内部に記録メディアが設けられている。ＵＳＢコネクタ１０９は、外部接続ＵＳＢを接続することにより、無線通信を行うことができる。
【００２０】
図２に示すように、外付けモニタ接続コネクタ２０１は、外付けの電子ビューファインダ（ＥＶＦ）を接続するためのコネクタであり、ＥＶＦのケーブルを接続することによりレンズ部１０２から入力された映像をＥＶＦに出力することができる。
【００２１】
ＨＤＭＩケーブルコネクタ２０２は、映像と音声を伝送する通信ケーブルであり、レンズ部１０２から入力された映像と音声を外部モニタに出力することができる。有線ＬＡＮケーブルコネクタ２０３は、ＬＡＮケーブルを接続することによりインターネットに接続することができる。
【００２２】
撮影情報出力コネクタ２０４，２０５は、それぞれ撮影した際の情報を出力するためのコネクタであり、外部機器を接続することにより、タイムコードやＧＥＮロックなどの情報を出力することができる。モニタ２０６，２０７は、レンズ部１０２から入力された映像信号を出力するためのコネクタであり、本実施形態では、ＢＮＣコネクタを使用している。
【００２３】
リターン信号コネクタ２０８は、外部情報の入力のためのコネクタであり、複数台のカメラを用い撮影を行う際に、他のカメラが撮影している映像をカメラ１００のモニタに表示することが可能であり、ＢＮＣコネクタを使用している。
【００２４】
ＳＤＩコネクタ２０９〜２１２は、それぞれ外部にＳＤＩ信号を出力するためのコネクタであり、ＢＮＣコネクタを使用している。リモコン端子２１３は、リモコンユニットを接続することにより、リモコンユニットから入力された信号をカメラ本体１０１のメイン基板に出力し、カメラ１００を操作することができる。
【００２５】
ランクコネクタ２１４は、ランクリモコンを接続することにより、カメラ１００を操作することができる。オーディオ出力ステレオコネクタ２１５は、カメラ１００側で録音された音声をステレオ信号により外部に出力することができる。
【００２６】
オーディオ出力モノラルコネクタ２１６，２１７は、いずれもカメラ１００で録音された音声をモノラル信号で外部に出力することができる。オーディオ出力モノラルコネクタ２１６は、チャンネル１を出力し、オーディオ出力モノラルコネクタ２１７は、チャンネル２を出力する。電源コネクタ２１８は、カメラ１００に電力を供給するためのコネクタである。
【００２７】
図３は、図１に示すカメラ１００の複数のコネクタ１０４〜１０９に蓋やカバーを装着した状態を示す斜視図である。図４は、図２に示すカメラ１００の複数のコネクタ２０１〜２０８に蓋やカバーを装着した状態を示す斜視図である。
【００２８】
図３に示すように、コネクタ蓋３０１は、Ｄタップコネクタ１０４に着脱可能に装着され、コネクタ蓋３０２は、ワイヤレス通信コネクタ１０５に着脱可能に装着される。端子カバー３０３は、２つのコネクタ蓋を有し、それぞれマイク入力コネクタ１０６とレンズコネクタ１０７に装着される。ジャックカバー３０４は、ＵＳＢコネクタ１０９を開閉可能に覆って保護する。
【００２９】
図４に示すように、ジャックカバー４０１は、２つのコネクタ蓋を有し、それぞれ外付けモニタ接続コネクタ２０１及びＨＤＭＩケーブルコネクタ２０２に着脱可能に装着される。コネクタ蓋４０２は、有線ＬＡＮケーブルコネクタ２０３に着脱可能に装着される。ＢＮＣカバー４０３は、２つのコネクタ蓋を有し、それぞれ撮影情報出力コネクタ２０４，２０５に着脱可能に装着される。
【００３０】
モニタカバー４０４は、３つのコネクタ蓋を有し、それぞれモニタ２０６、モニタ２０７、及びリターン信号コネクタ２０８に着脱可能に装着される。ＳＤＩカバー４０５は、５つのコネクタ蓋を有し、それぞれＳＤＩコネクタ２０９〜２１２及びリモコン端子２１３に着脱可能に装着される。
【００３１】
リアカバー４０６は、２つのコネクタ蓋を有し、それぞれランクコネクタ２１４及びオーディオ出力ステレオコネクタ２１５に着脱可能に装着される。リアジャックカバー４０７は、３つのコネクタ蓋を有し、それぞれオーディオ出力モノラルコネクタ２１６、オーディオ出力モノラルコネクタ２１７及び電源コネクタ２１８に着脱可能に装着される。
【００３２】
図５は、図１に示すカメラ１００の複数のコネクタ１０４〜１０９にそれぞれケーブル等を接続した状態を示す斜視図である。図６は、図２に示すカメラ１００の複数のコネクタ２０１〜２０８にそれぞれケーブル等を接続した状態を示す斜視図である。
【００３３】
図５に示すように、Ｄタップケーブル５０１は、Ｌ字型のケーブルであり、Ｄタップコネクタ１０４に接続される。ワイヤレス通信ユニット５０２は、Ｌ字型のユニットであり、ワイヤレス通信コネクタ１０５に接続される。マイク入力ケーブル５０３は、マイク入力コネクタ１０６に接続される。
【００３４】
レンズケーブル５０４は、レンズコネクタ１０７に接続される。ＵＳＢ通信ユニット５０５は、Ｌ字型のユニットであり、ＵＳＢコネクタ１０９に接続される。なお、Ｄタップケーブル５０１、ワイヤレス通信ユニット５０２、及びＵＳＢ通信ユニット５０５は、カメラ本体１０１からの突出量は小さく、カメラ本体１０１の側面に配置しても破損等する可能性は低い。
【００３５】
図６に示すように、外付けモニタ接続ケーブル６０１は、外付けモニタ接続コネクタ２０１に接続される。ＨＤＭＩケーブル６０２は、ＨＤＭＩケーブルコネクタ２０２に接続される。ＨＤＭＩケーブル６０２には、コネクタ固定ねじが取り付けられており、コネクタ固定ねじをカメラ本体１０１に形成されたねじ穴に締結することにより、ＨＤＭＩケーブルコネクタ２０２の破損等を防ぐことができる。
【００３６】
有線ＬＡＮケーブル６０３は、有線ＬＡＮケーブルコネクタ２０３に接続される。ＢＮＣケーブル６０４は、撮影情報出力コネクタ２０４に接続され、ＢＮＣケーブル６０５は、撮影情報出力コネクタ２０５に接続される。ＢＮＣケーブル６０６，６０７は、それぞれモニタ２０６，２０７に接続される。
【００３７】
ＢＮＣケーブル６０８は、リターン信号コネクタ２０８に接続され、ＢＮＣケーブル６０９〜６１２は、それぞれＳＤＩコネクタ２０９〜２１２に接続される。リモコンケーブル６１３は、リモコン端子２１３に接続される。
【００３８】
ランクケーブル６１４は、ランクコネクタ２１４に接続される。ＸＬＲ５ピンケーブル６１５は、オーディオ出力ステレオコネクタ２１５に接続され、ＸＬＲ３ピンケーブル６１６，６１７は、それぞれオーディオ出力モノラルコネクタ２１６，２１７に接続される。ＸＬＲ４ピンケーブル６１８は、電源コネクタ２１８に接続される。
【００３９】
これらの各種ケーブルは、コネクタに接続される側の先端部に金属又は樹脂により形成された硬質部を有し、硬質部は、ケーブルの種類によって異なる長さになっている。
【００４０】
図７は、カメラ本体１０１の正面側から見て左側の側面図である。図８は、図７のＡ−Ａ線断面図である。図７において、コネクタ配置面７０１には、外付けモニタ接続コネクタ２０１とＨＤＭＩケーブルコネクタ２０２が配置されている。コネクタ配置面７０２には、有線ＬＡＮケーブルコネクタ２０３が配置されている。
【００４１】
コネクタ配置面７０３には、撮影情報出力コネクタ２０４，２０５が配置されている。コネクタ配置面７０４には、モニタ２０６、モニタ２０７、及びリターン信号コネクタ２０８が配置されている。コネクタ配置面７０５には、ＳＤＩコネクタ２０９〜２１２、リモコン端子２１３、ランクコネクタ２１４、及びオーディオ出力ステレオコネクタ２１５が配置されている。これらのコネクタは、カメラ本体１０１の最外形部から突出しない位置に配置される。
【００４２】
ここで、コネクタ配置面７０１〜７０５は、それぞれカメラ本体１０１の背面側の端（以下、内側端という。）がレンズ部１０２の光軸に接近する方向に傾く傾斜面になっている。各傾斜面の傾斜角度は、いずれもレンズ部１０２の光軸に対して略６０°に設定されている。
【００４３】
また、図８に示すように、コネクタ配置面７０１の内側端とコネクタ配置面７０２のレンズ部１０２の光軸から離れる側のカメラ本体１０１の正面側の端（以下、外側端という。）とは、接続面８０１により略９０°の角度で接続されている。
【００４４】
同様に、コネクタ配置面７０２の内側端とコネクタ配置面７０３の外側端とは、接続面８０２により略９０°の角度で接続されている。更に、コネクタ配置面７０３の内側端とカメラ本体１０１とは、接続面８０３により略９０°の角度で接続されている。
【００４５】
これにより、コネクタ配置面７０１〜７０５に配置されたコネクタにケーブルを挿入する際に、カメラ本体１０１の側壁が邪魔にならないようにすることができる。
【００４６】
また、コネクタ配置面７０１〜７０５は、互いに略平行に配置されており、レンズ部１０２の光軸に対して直交するカメラ本体１０１の幅方向の左側の側面側から見ると、それぞれの面が重ならない位置に配置されている。これにより、各コネクタに対するケーブルの挿抜性を良くすることができる。
【００４７】
更に、コネクタ配置面７０１〜７０５は、レンズ部１０２の光軸方向（正面側）から見ると、それぞれの面が重なって配置されている。これにより、カメラ本体１０１を薄型化することが可能となる。
【００４８】
図９は、カメラ本体１０１の正面側から見て左側の側面に配置された各コネクタにケーブルを接続した状態を示す図である。図１０は、図９のＢ−Ｂ線断面図である。
【００４９】
図９に示すように、Ｄタップケーブル５０１は、Ｌ字型のケーブルであるため、Ｄタップコネクタ１０４への挿入方向に対して９０°傾いた位置にケーブルが配置される。このため、Ｄタップケーブル５０１は、カメラ本体１０１の側面に沿って配線される。
【００５０】
また、ワイヤレス通信コネクタ１０５に接続されるワイヤレス通信ユニット５０２、ＵＳＢコネクタ１０９に接続されるＵＳＢ通信ユニット５０５は、コネクタ接続部に対してＬ字型の形状をしているため、カメラ本体１０１の高さ方向に沿って配置される。
【００５１】
また、マイク入力ケーブル５０３が接続されるマイク入力コネクタ１０６、及びレンズケーブル５０４が接続されるレンズコネクタ１０７は、カメラ本体１０１の正面側を向いて配置されている。
【００５２】
更に、図２及び図６に示すように、ＸＬＲ３ピンケーブル６１６，６１７が接続されるオーディオ出力モノラルコネクタ２１６，２１７、及びＸＬＲ４ピンケーブル６１８が接続される電源コネクタ２１８は、カメラ本体１０１の背面側を向いて配置されている。このため、これらのコネクタは、ケーブル及びユニットを接続した状態でも、破損やケーブルの引っ掛かり等の問題が生じることはない。
【００５３】
また、図７及び図９に示すように、コネクタ配置面７０１〜７０３には、レンズ部１０２の光軸方向の前後のコネクタが接近して配置されている。このため、最も正面側に配置されるコネクタ配置面７０１には、同一平面に２つのコネクタ２０１，２０２を配置している。
【００５４】
また、コネクタ配置面７０１と最も背面側に配置されるコネクタ配置面７０３との間のコネクタ配置面７０２には、１つのコネクタ２０３をコネクタ２０１，２０２の間に位置させて配置している。更に、コネクタ配置面７０３には、２つのコネクタ２０４，２０５をコネクタ２０３に対してカメラ本体１０１の高さ方向にずらして配置している。
【００５５】
このように、コネクタ配置面７０１〜７０３のそれぞれのコネクタをカメラ本体１０１の高さ方向に交互にずらして配置することにより、ケーブルをストレートに引き出した際に、複数のケーブルが互いに重ならないように配置することができる。これにより、コネクタに対するケーブルの挿抜性が向上する。
【００５６】
図１０に示すように、ＨＤＭＩケーブル６０２が接続されるコネクタ２０２、有線ＬＡＮケーブル６０３が接続されるコネクタ２０３、及びＢＮＣケーブル６０５が接続されるコネクタ２０５は、それぞれ接続面８０１〜８０３に対して略平行に配置されている。このため、ケーブルの挿抜時に周辺の形状が邪魔になることはない。
【００５７】
また、接続面８０１の長さＬ１、接続面８０２の長さＬ２、接続面８０３の長さＬ３は、コネクタ配置面７０１〜７０３に配置されたコネクタに挿入されるケーブルの硬質部と略同一もしくはそれ以上の長さに設定されている。これにより、ケーブルが曲げ方向に押された際には、押された力は、接続面８０１〜８０３が受けることになる。
【００５８】
また、接続面８０１〜８０３の長さＬ１〜Ｌ３がケーブルの硬質部と略同一の長さであることにより、互いに隣り合うコネクタ配置面７０１〜７０３に配置されたコネクタにケーブルを挿抜する際に隣のケーブルが邪魔になることはない。
【００５９】
更には、カードコネクタ１０８よりもカメラ本体１０１の幅方向の内側にケーブルの硬質部が配置されているため、カメラ本体１０１の幅方向の側面が壁などの障害物にぶつかった際もケーブルやコネクタが破損することがない。
【００６０】
以上説明したように、本実施形態では、カメラ本体１０１の幅方向の薄型化を図りつつ、複数のコネクタをカメラ本体１０１の側面に配置した場合でも、コネクタに対するケーブルの挿抜性を低下させずに、ケーブルの引っ掛かりや断線を防ぐことができる。このため、コネクタの破損やケーブルの抜けを防ぐことができる。
【００６１】
なお、本発明の構成は、上記実施形態に例示したものに限定されるものではなく、材質、形状、寸法、形態、数、配置箇所等は、本発明の要旨を逸脱しない範囲において適宜変更可能である。
【符号の説明】
【００６２】
１００  カメラ
１０１  カメラ本体
１０２  レンズ部
１０４〜１０９  コネクタ
２０１〜２０５，２０８  コネクタ
７０１〜７０５  コネクタ配置面
８０１〜８０３  接続面
【図１】
2020048219.tif 000003
【図２】
2020048219.tif 000004
【図３】
2020048219.tif 000005
【図４】
2020048219.tif 000006
【図５】
2020048219.tif 000007
【図６】
2020048219.tif 000008
【図７】
2020048219.tif 000009
【図８】
2020048219.tif 000010
【図９】
2020048219.tif 000011
【図１０】
2020048219.tif 000012